(57)【要約】【課題】フランジバック調整を行う際のカメラマンによる確認容易性を確保しつつ、通常の撮影操作時に邪魔にならないフランジバック調整確認用表示機能を提供する。【解決手段】レンズ鏡胴(12)の側面部に駆動ユニット(14)が設置されて成るレンズ装置(10)において、当該レンズ装置(10)をカメラに装着した状態で実施されるフランジ焦点距離の調整時の確認に供する表示を行うため手段として、駆動ユニット(14)にフランジバック調整確認用インジケータ(16)を設ける。このインジケータ(16)は、駆動ユニット(14)の外表面のうち、レンズ鏡胴(12)側に露出する面に設けることが好ましい。【選択図】図１
2011102926.tif 000002
【特許請求の範囲】
【請求項１】
被写体像を結像させる光学系の構成部材を内包したレンズ鏡胴の側面部に、当該レンズ鏡胴内の前記構成部材の一部を移動させる電動駆動機構を搭載した駆動ユニットが設置されて成るレンズ装置において、
前記駆動ユニットには、当該レンズ装置をカメラに装着した状態で実施されるフランジ焦点距離の調整時の確認に供する表示を行うためのフランジバック調整確認用表示手段が設けられていることを特徴とするレンズ装置。
【請求項２】
前記フランジバック調整確認用表示手段は、
前記レンズ鏡胴の側面部に前記駆動ユニットが取り付けられている状態で外部に露出する当該駆動ユニットの外表面のうち、前記レンズ鏡胴側に露出する面に設けられていることを特徴とする請求項１に記載のレンズ装置。
【請求項３】
前記フランジバック調整確認用表示手段は、
前記駆動ユニットの外表面のうち、前記レンズ鏡胴側に露出する面における前記レンズ鏡胴の光軸を含む水平面よりも上側の部分に配置されることを特徴とする請求項２に記載のレンズ装置。
【請求項４】
前記フランジバック調整確認用表示手段は、前記フランジ焦点距離の調整時に発光する表示ランプであることを特徴とする請求項１乃至３のいずれか１項に記載のレンズ装置。
【請求項５】
前記レンズ鏡胴の外周部には回動可能な操作リングが設けられ、該操作リングを回動させることによって前記レンズ鏡胴内の前記構成部材の一部が移動する構造を有し、
前記駆動ユニットには、前記操作リングに係合する連結ギアと、当該連結ギアを回転させる動力源となるモータと、を含んで構成される前記電動駆動機構が搭載されていることを特徴とする請求項１乃至４のいずれか１項に記載のレンズ装置。
【請求項６】
前記駆動ユニットは、前記電動駆動機構を収容する筐体を有し、
前記筐体は、
前記レンズ鏡胴側に面する第１側面部を構成する第１枠体と、
前記第１枠体に連結され、前記第１側面部と反対側の前記レンズ鏡胴から遠い外側の第２側面部を構成する第２枠体と、から成ることを特徴とする請求項５に記載のレンズ装置。
【請求項７】
前記フランジバック調整確認用表示手段は、前記第１枠体に組み付けられていることを特徴とする請求項６に記載のレンズ装置。
【請求項８】
前記駆動ユニットは、
前記フランジバック調整確認用表示手段の光源となる発光ダイオードが実装された第１回路基板と、
前記モータを制御する制御回路が実装された第２回路基板と、
を備え、
前記第１回路基板は、前記第２回路基板と別体の基板で構成されており、当該第１回路基板には、前記操作リングの位置を検出するためのセンサが実装されていることを特徴とする請求項５乃至７のいずれか１項に記載のレンズ装置。
【発明の詳細な説明】
【技術分野】
【０００１】
本発明はレンズ装置に係り、特にレンズ鏡胴の側部に駆動ユニットが設置されるレンズ装置に関する。
【背景技術】
【０００２】
放送用又は業務用等のテレビカメラは、撮像素子や映像処理回路等を搭載したカメラ本体と、撮像素子の撮像面に被写体像を結像する光学系を備えたレンズ装置とを備えている。取材等で使用される携帯用のテレビカメラのレンズ装置（例えば、「ポータブルレンズ」と呼ばれる製品群）は、一般に、レンズ鏡胴と、レンズ鏡胴の側部に設置される駆動ユニット（ドライブユニット）とを有している（特許文献１参照）。
【０００３】
レンズ鏡胴は、光学系を構成する各種レンズ等を内部に保持しており、その後端部には、カメラ本体に対して例えばバヨネット方式により着脱可能に装着されるマウントが設けられる。このような着脱可能なレンズ装置では、カメラに装着した際にレンズ鏡胴後端のフランジ面（取り付け面）から結像面（カメラの撮像素子受光面）までの距離を調整する「フランジバック調整」が行われる。フランジバック調整は手動で行う方法もあるが、オートフォーカス機能を利用して自動で調整する構成も知られている（特許文献２，３，４）。
【先行技術文献】
【特許文献】
【０００４】
【特許文献１】特許第２７７３２３０号公報
【特許文献２】特開平１１−１２７３７６号公報
【特許文献３】特開２００７−１６３６４５号公報
【特許文献４】特開平９−１９７２６１号公報
【発明の概要】
【発明が解決しようとする課題】
【０００５】
フランジバック調整は、レンズ装置をカメラに最初に装着した時など、限られた状況で随時必要に応じて行われるものであり、撮影時における通常の操作（ズーム、フォーカス、アイリス等の操作）と比較して作業頻度は低いものである。その一方で、フランジバック調整が実施されるときのレンズ動作は、通常の撮影時とは異なる動作であるため、カメラマン（ユーザ）に対してフランジバック調整中である旨を報知することが望ましい。特許文献４は、フランジバック調整の動作状態を知らせる表示部を設けることを開示しているが、当該表示部をどのように設置するのかについて具体的な記載がない。
【０００６】
本発明はこのような事情に鑑みてなされたもので、フランジバック調整を行う際のカメラマンによる確認の容易性を確保しつつ、ポータブルレンズに要求される装置の小型化という制約の下で、通常の撮影操作時に邪魔にならないようなフランジバック調整確認用の報知手段を具備したレンズ装置を提供することを目的とする。
【課題を解決するための手段】
【０００７】
前記目的を達成するために以下の発明態様を提供する。
【０００８】
（発明１）：発明１に係るレンズ装置は、被写体像を結像させる光学系の構成部材を内包したレンズ鏡胴の側面部に、当該レンズ鏡胴内の前記構成部材の一部を移動させる電動駆動機構を搭載した駆動ユニットが設置されて成るレンズ装置において、前記駆動ユニットには、当該レンズ装置をカメラに装着した状態で実施されるフランジ焦点距離の調整時の確認に供する表示を行うためのフランジバック調整確認用表示手段が設けられていることを特徴とする。
【０００９】
仮に、レンズ鏡胴にフランジバック調整確認用の表示手段を設けたとすると、レンズ鏡胴に対して駆動ユニットを経由した電気配線等が必要となり、配線構造が複雑化する。この点、本発明では駆動ユニットにフランジバック調整確認用表示手段を搭載しているため、配線が容易である。
【００１０】
本発明によれば、レンズ鏡胴の側にフランジバック調整確認用の表示手段を搭載する構成と比較して、簡単な構造で目的の表示を実現することができる。
【００１１】
（発明２）：発明２に係るレンズ装置は、発明１において、前記フランジバック調整確認用表示手段は、前記レンズ鏡胴の側面部に前記駆動ユニットが取り付けられている状態で外部に露出する当該駆動ユニットの外表面のうち、前記レンズ鏡胴側に露出する面に設けられていることを特徴とする。
【００１２】
発明２の態様によれば、当該レンズ装置をカメラに装着した状態でカメラマン（ユーザ）がフランジバック調整を行う際、カメラマンの目線から当該表示を視認し易く、通常の撮影操作時の邪魔にもならない。
【００１３】
（発明３）：発明３に係るレンズ装置は、発明２において、前記フランジバック調整確認用表示手段は、前記駆動ユニットの外表面のうち、前記レンズ鏡胴側に露出する面における前記レンズ鏡胴の光軸を含む水平面よりも上側の部分に配置されることを特徴とする。
【００１４】
発明３の態様によれば、カメラマンの目線から当該表示を一層視認し易いという利点がある。
【００１５】
（発明４）：発明４に係るレンズ装置は、発明１乃至３のいずれか１項において、前記フランジバック調整確認用表示手段は、前記フランジ焦点距離の調整時に発光する表示ランプであることを特徴とする。
【００１６】
フランジバック調整確認用表示手段として液晶表示パネルなどの表示部を用いる態様も可能であるが、発明４の態様のように、表示ランプによる表示部を採用することにより、簡易な構成で目的の表示を実現できる。また、表示ランプは、液晶表示パネル等を比較して、表示部の面積が小さく、通常の撮影操作時には目立たず、邪魔にならない。さらに、電子回路も単純であり、回路規模も小さいため、小型化の要請にも合致する。
【００１７】
（発明５）：発明５に係るレンズ装置は、発明１乃至４のいずれか１項において、前記レンズ鏡胴の外周部には回動可能な操作リングが設けられ、該操作リングを回動させることによって前記レンズ鏡胴内の前記構成部材の一部が移動する構造を有し、前記駆動ユニットには、前記操作リングに係合する連結ギアと、当該連結ギアを回転させる動力源となるモータと、を含んで構成される前記電動駆動機構が搭載されていることを特徴とする。
【００１８】
光学系の構成部材としては、様々な態様があるが、一例として、テレビカメラ用のレンズ装置の場合、フォーカスレンズ、変倍レンズ、絞り（アイリス）機構、マスターレンズなどを含み得る。駆動ユニットによって駆動させる対象は、レンズ鏡胴内で移動可能に支持されたレンズ（例えば、フォーカスレンズ、変倍レンズ、マスターレンズのうち少なくとも１つ、好ましくは、複数のレンズ）に限らず、絞りも含まれ得る。
【００１９】
（発明６）：発明６に係るレンズ装置は、発明５において、前記駆動ユニットは、前記電動駆動機構を収容する筐体を有し、前記筐体は、前記レンズ鏡胴側に面する第１側面部を構成する第１枠体と、前記第１枠体に連結され、前記第１側面部と反対側の前記レンズ鏡胴から遠い外側の第２側面部を構成する第２枠体と、から成ることを特徴とする。
【００２０】
発明６の態様によれば、レンズ鏡胴に対する駆動ユニットの取り付け作業が容易であり、駆動ユニット内に収容する電動駆動機構等の取り付けも容易である。
【００２１】
（発明７）：発明７に係るレンズ装置は、発明６において、前記フランジバック調整確認用表示手段は、前記第１枠体に設けられていることを特徴とする。
【００２２】
発明７の態様により、フランジバック調整確認用の表示部（表示窓、表示面）を第１枠体に設けるのみならず、さらに、当該表示に必要な電子部品（例えば、発光ダイオード等の素子）を実装した回路基板や、ライトガイドなどの部材を第１枠体に組み付け固定する構成が好ましい。
【００２３】
（発明８）：発明８に係るレンズ装置は、発明５乃至７のいずれか１項において、前記駆動ユニットは前記フランジバック調整確認用表示手段の光源となる発光ダイオードが実装された第１回路基板と、前記モータを制御する制御回路が実装された第２回路基板と、を備え、前記第１回路基板は、前記第２回路基板と別体の基板で構成されており、当該第１回路基板には、前記操作リングの位置を検出するためのセンサが実装されていることを特徴とする。
【００２４】
発明８の態様によれば、駆動ユニットの筐体内に収容する部材の配置効率を高めることができ、小型化を実現できる。また、筐体内部の電気接続も容易である。発明８の態様において、さらに、第１回路基板を第１枠体に固定し、第２回路基板を第２枠体に固定する態様が好ましい。
【発明の効果】
【００２５】
本発明によれば、装置を複雑化・大型化することなく、簡易な配線構造によってフランジバック調整の確認用表示を実現することができる。また、フランジバック調整を行う際のカメラマンによる確認の容易性を確保しつつ、通常の撮影操作時には邪魔にならないようなフランジバック調整確認用表示機能を提供することができる。
【図面の簡単な説明】
【００２６】
【図１】本発明の実施形態に係るレンズ装置の全体を示した斜視図
【図２】本例のレンズ装置を後方斜め下方から見上げた様子を示した図
【図３】フランジバック調整確認用インジケータ周辺の拡大図
【図４】駆動ユニットの内部構成の一部を拡大した斜視図
【図５】レンズ鏡胴から取り外された状態の駆動ユニットの斜視図
【発明を実施するための形態】
【００２７】
以下、添付図面を参照して本発明の実施形態について詳細に説明する。
【００２８】
＜レンズ装置の全体構成＞
図１は、本発明の実施形態に係るレンズ装置の全体を示した斜視図である。図１はレンズ装置を前方斜め上方から見下ろした様子を示している。また、図２は当該レンズ装置を後方斜め下方から見上げた様子を示した図である。これらの図面に示したレンズ装置１０は、主に取材などで携帯される放送用又は業務用のテレビカメラ（ビデオカメラ）に装着されるレンズ装置であり、「ポータブルレンズ」、「ハンディータイプ・レンズ」、「ＥＮＧレンズ」等に分類されるレンズ装置である。
【００２９】
図示のとおり、レンズ装置１０は、レンズ鏡胴１２と、当該レンズ鏡胴１２の側部に設置された駆動ユニット１４を備えている。レンズ鏡胴１２は、後端部にバヨネット方式のマウント部２０を有しており、このマウント部２０をカメラ本体（図示せず）のマウント部に係合させることにより、レンズ鏡胴１２がカメラ本体に装着されてテレビカメラが構成されるようになっている。
【００３０】
レンズ鏡胴１２の内部には、周知のように被写体像を結像するための光学系を構成するレンズや絞りが収容されており、レンズとして、レンズ鏡胴１２の各種構成部材を支持する鏡胴本体に対して固定されたレンズの他に、光軸方向に移動可能に支持されたフォーカスレンズ群や変倍レンズ群、並びにマスターレンズ群が配置されている。
【００３１】
光学系を構成するレンズの種類、枚数、絞りの構造、並びにこれらの配置順や相対的位置関係については、様々な形態が可能である。一例としてリアフォーカス式のズームレンズ装置を説明すると、対物側から順に、固定レンズ、変倍レンズ、前マスターレンズ、フォーカスレンズ、後マスターレンンズの５群のレンズ群が配置され、前マスターレンズの直前に虹彩絞りが配置される。
【００３２】
レンズ鏡胴１２（鏡胴本体）の外周部には、鏡胴本体に対して回動可能な複数の操作リング（２２〜２６）が設けられている。本例の場合、その操作リングとして前方側（対物側）からフォーカスリング２２、変倍レンズ群に連結されたズームリング２４、絞りに連結されたアイリスリング２６が配置されている。フォーカスリング２２が回動すると、これと連動してフォーカスレンズ群が光軸方向に移動して光学系全体としての焦点位置（ピントが合う被写体距離）が変化するようになっている。
【００３３】
ズームリング２４が回動すると、これと連動してズームレンズ群が光軸方向に移動して光学系全体としての焦点距離が変化し、アイリスリング２６が回動すると、これと連動して絞りが開閉動作して光学系全体としての絞り値が変化するようになっている。
【００３４】
第１フォーカスリング２１、第２フォーカスリング２２、ズームリング２４、アイリスリング２６の各々の外周面には、それぞれギア歯２１Ａ、２２Ａ、２４Ａ、２６Ａが形成されている。これら各操作リングのギア歯２１Ａ、２２Ａ、２４Ａ、２６Ａは、駆動ユニット１４に設けられた対応する連結ギア（駆動対象に対応して設けられた駆動機構の連結ギア）と噛合される。
【００３５】
第１フォーカスリング２１は回動範囲が規制されておらず、エンドレスに回転させることができるとともに、光軸方向（前後方向）にスライド可能に配設されている。一方、第２フォーカスリング２２は、ストッパー部材（不図示）によって回動範囲が規制されている。例えば、第２フォーカスリング２２は、約１２０度の範囲内で回動できるように規制されている。
【００３６】
第１フォーカスリング２１を光軸方向の後側規定位置に設定すると、当該第１フォーカスリング２１と第２フォーカスリング２２とが連結され、第１フォーカスリング２１と第２フォーカスリング２２とが一体的に回動する。この状態で第１フォーカスリング２１を回動させる場合には、第２フォーカスリング２２の回動可能範囲内でのみ回動可能となる。
【００３７】
一方、第１フォーカスリング２１を前側規定位置に設定すると、第１フォーカスリング２１と第２フォーカスリング２２との連結が外れる。これにより、第１フォーカスリング２１はエンドレスで回転できるようになる。
【００３８】
このようなフォーカスリング（２１，２２）の構成は、第１フォーカスリング２１のスライド移動（光軸方向の位置）によって相対位置指示方式のフォーカス操作と、絶対位置指示方式のフォーカス操作とを切り替えるための構造であり、特開２００７−１７８６３３号公報において開示されている手段である。第１フォーカスリング２１を前側規定位置に設定した場合に相対位置指示方式のフォーカス操作となり、第１フォーカスリング２１を後側規定位置に設定した場合に回動範囲が規制された絶対位置指示方式のフォーカス操作となる。
【００３９】
また、レンズ鏡胴１２の外周部には、鏡胴本体に対して固定された第１固定環２８及び第２固定環３０が設けられている。第１固定環２８は、フォーカスリング２２とズームリング２４との間に配置され、鏡胴本体と一体形成されている。第２固定環３０は、ズームリング２４とアイリスリング２６との間に配置され、鏡胴本体とは別体の部材で形成されている。図面には示されていないが、アイリスリング２６には、絞り値に関する目盛りが記されており、第２固定環３０には、アイリスリング２６の目盛りに対して読み取り位置を指し示す指標（指標マーク）が記されている。
【００４０】
ここでいう「鏡胴本体」とは、レンズ鏡胴１２の各種構成部材を支持し、レンズ鏡胴１２の骨格となる部材を示す。なお、鏡胴本体と一体的に構成された第１固定環２８及び第２固定環３０を「固定鏡胴」或いは「固定環」として構成することも可能である。駆動ユニット１４は、レンズ鏡胴１２の第１固定環２８及び第２固定環３０の部分に対して、ねじ３４、３５、３６を介して固定される。
【００４１】
本例の駆動ユニット１４は、レンズ鏡胴１２の側部に取り付けられた（固定された）状態で、その外表面に露呈する位置にフランジバック調整確認用インジケータ１６（「フランジバック調整確認用表示手段」に相当）が設けられている。このフランジバック調整確認用インジケータ１６は、フランジバック調整モード中に点灯又は点滅させる発光ダイオード（ＬＥＤ）を利用した表示ランプであり、その点灯（又は点滅）状態により、フランジバック調整モード中である旨をユーザ（カメラマン）に報知する手段である。
【００４２】
本例のフランジバック調整確認用インジケータ１６は、当該駆動ユニット１４がレンズ鏡胴１２に取り付けられた状態で外部に露出する面のうち、ねじ３４〜３６による連結固定部よりも前方（対物側）のレンズ鏡胴１２側に面する側壁面の上部寄りの位置に配置されている。図示のとおり、駆動ユニット１４の前方はレンズ鏡胴１２との間に空間３８が形成される。この凹状の空間３８は、カメラマンがフォーカスリング（２１、２２）を手動で回動操作し易いように設けられた、いわゆる「逃げ」の空間であり、カメラマンはフォーカスリング２１を手動で回動操作する際に、この凹状の空間３８に指を入れることができる。
【００４３】
本例のレンズ装置１０は、当該逃げの空間３８の一側面を構成する駆動ユニット１４のレンズ鏡胴１２側面に向きあった面の上部寄りの位置にフランジバック調整確認用インジケータ１６が設けられている。
【００４４】
フランジバック調整確認用インジケータ１６を配置する位置は、必ずしも図示の例に限定されない。レンズ装置１０をカメラ本体に装着後、カメラマンはレンズ装置１０（カメラ）の右側に立ち、フランジバック調整その他の初期のセッティング操作を行うことが通例であるため、レンズ鏡胴１２越しにカメラマンの目線から見やすいところにフランジバック調整確認用インジケータ１６を配置することが望ましい。また、フランジバック調整確認用インジケータ１６は、通常のレンズ操作（フォーカス操作、ズーム操作、アイリス操作等）の邪魔にならないような位置に設けることが好ましい。本例の場合、通常のレンズ操作の障害とならず、通常の撮影時にランプを消灯していれば、あまり目立たないように工夫されている。
【００４５】
また、図３の拡大図に示したように、フランジバック調整確認用インジケータ１６は、駆動ユニット１４の側面から窪んだ状態で発光面（ライトガイドの出射端面）が配置されている。フランジバック調整確認用インジケータ１６の表示面を駆動ユニット１４の表面から突出させることなく、当該駆動ユニット１４の表面と同等或いはこれよりも低く窪んだ状態で形成することにより、操作リングを手動操作する際の障害にならない点で有益である。
【００４６】
駆動ユニット１４の上面部、後端面及び底面部には各種操作部（符号４０〜４８）が設けられている。すなわち、駆動ユニット１４の上面部には、操作部材として、ズームシーソースイッチ４０、アイリスモード切替スイッチ４１、オートスイッチ４２、リターンスイッチ４３が設けられ（図１参照）、駆動ユニット１４の後端面には録画スイッチ４４が設けられている（図２参照）。
【００４７】
ズームシーソースイッチ４０は、レンズ鏡胴１２の焦点距離を変化させるための操作部材である。ズームシーソースイッチ４０は、光軸に略直交する軸を中心として前後に揺動自在であり、前方のテレ側凸部を押圧するとレンズ鏡胴１２内の変倍レンズが望遠側に向けて移動し、逆に、後方のワイド凸部を押圧すると広角側に向けて移動する。テレ／ワイドのいずれの押圧操作においても、ズームシーソースイッチ４０の押し込み量（操作量）によって変倍スピードを調整することができ、押し込み量が大きいほど高速になる。なお、ズームシーソースイッチ４０は、押圧を解除することで中立位置に復帰する。
【００４８】
アイリスモード切替スイッチ４１は、アイリス調節を自動で行うオートモードと、手動で行うマニュアルモードとを切り替える手段である。当該切替スイッチ４１のツマミを光軸と略平行な方向に沿って前後にスライドさせることにより、オート／マニュアルのいずれか一方のモードを選択的に設定することができる。
【００４９】
オートスイッチ４２は、アイリス調整をマニュアルモードに設定しているときに、一時的にオートモードとするためのスイッチである。当該オートスイッチを押圧操作している間だけアイリス調節がオートモードになる。
【００５０】
リターンスイッチ４３は、オンエア中の画面や他のカメラで撮影している画面など他の画面をカメラのビューファインダー（図示しないカメラ本体に設けた画像表示装置）に表示するか否かを切り替えるスイッチである。当該リターンスイッチ４３を押圧するごとに、ビューファインダーにおける他画面の表示の有無が切り替えられる。
【００５１】
録画スイッチ４４は、撮影画像の記録（録画）の開始と終了を指示するスイッチである。当該録画スイッチ４４を押圧操作するごとに、録画の開始／終了の指示が切り替わる。録画が開始されると、撮影中の映像がビデオテープやメモリ等の記録媒体に記録（録画）される。
【００５２】
また、図２に示すように、本例の駆動ユニット１４の底面部分には、フランジバック調整スイッチ４６、電動／手動ズーム切替レバー４８が設けられている。
【００５３】
フランジバック調整スイッチ４６は、フランジ焦点距離の調整を行う際に押されるスイッチである。このスイッチ４６を長押しすると（例えば、３秒間）、フランジバック調整モードとなり、フランジバック調整確認用インジケータ１６が点灯する。フランジバック調整作業後に、再度当該スイッチ４６を押下すると、フォーカスーレンズの位置情報が記憶され、フランジバック調整モードが解除される。このフランジバック調整モードの間、フランジバック調整確認用インジケータ１６は点灯又は点滅する。
【００５４】
電動／手動ズーム切替レバー４８は、駆動ユニット１４のズームシーソースイッチ４０による電動ズーム操作と、ズームリング２４を手動で回動操作するマニュアルズーム操作とを切り替えるためのレバーである。
【００５５】
なお、図２中の符号５０はテレビカメラ（不図示）との接続用のケーブルの一部を示したものである。当該レンズ鏡胴１２のマウント部２０と連結されたカメラ本体（不図示）と、駆動ユニット１４とは、ケーブル５０によって電気的に接続され、これらの間で電力の供給や各種信号の授受が行われる。符号５２は、遠隔制御システムに接続するためのコネクタである。符号５４は、グリップベルト（不図示）を取り付けるためのベルト通し穴である。図１の符号５５で示したように、駆動ユニット１４の前側端部にもベルト通し穴が形成されており、これら前後のベルト通し穴５４，５５にグリップベルトを通してグリップベルトが取り付けられる。
【００５６】
カメラマンは、駆動ユニット１４の筐体（ケース）６０とグリップベルトの間に右手（親指以外の４本の指）を挿入することによって、駆動ユニット１４とともにレンズ鏡胴１２を保持することができる。また、このように撮影者（カメラマン）が駆動ユニット１４を右手でグリップしたときに、その右手の親指が自然に掛かる位置に録画スイッチ４４が配置されている（図２参照）。
【００５７】
＜駆動ユニット１４の構造＞
レンズ鏡胴１２の側面に取り付けられる駆動ユニット１４は、金属の筐体（ケース）６０によって全体が覆われている。筐体６０は、カメラマンが右手でグリップしたときに手のひらに馴染むように、略卵型（レンズ鏡胴１２の光軸に沿って卵を横に寝かせた面形状）の形体となっている。筐体６０は、概ねレンズ鏡胴１２の光軸方向に沿った面を分割面とする２つの枠体パーツ（枠部品）から構成される。すなわち、筐体６０は、レンズ鏡胴１２側の側面を形成する第１枠体６２と、カメラマンの手のひらに触れる外側の側面を形成する第２枠体６４とを向かい合わせて連結させる構造（２分割のシェル構造）となっている。
【００５８】
第１枠体６２はレンズ鏡胴１２への固定構造として、レンズ鏡胴１２の第１固定環２８及び第２固定環３０の各部分に対向した位置に延出する第１固定部６６及び第２固定部６８とが形成されている。第１固定部６６及び第２固定部６８は、第１固定環２８と第２固定環３０の各々の外周面（円筒面）に略沿ったＲ形状を基調する凹面状の連結面を有する。第１固定部６６をねじ３４により第１固定環２８に固定し、第２固定部６８をねじ３５で固定する。なお、レンズ鏡胴１２の下側（図２参照）にも第２固定部６８が設けられており、この下側の第２固定部６８をねじ３６で固定する。かかる構造によりレンズ鏡胴１２の側周面に駆動ユニット１４の第１枠体６２が固定される。
【００５９】
当該第１枠体６２と別体に構成された第２枠体６４は、第１枠体６２に対して、互いの周縁部に形成された連結部（不図示）の位置を合わせてビス６９で連結される。こうして、第１枠体６２と第２枠体６４とが連結されることで駆動ユニット１４の筐体６０が構成されている。
【００６０】
筐体６０の内部には、フォーカス駆動機構、ズーム駆動機構、アイリス駆動機構、マスター駆動機構の各駆動機構を構成するモータ、ポテンショメータ、ギア列などの動力の伝達に関連する駆動機構部材が収容されている。また、当該筐体６０の内部には、第１フォーカスリング２１の前後方向の位置を検出するためのセンサ及びフランジバック調整確認用インジケータ１６の発光ダイオード（図４中の符号８０）を搭載した回路基板（第１回路基板に相当、以下、「センサ基板」と言う。図４中の符号７６）が配設されとともに、各駆動機構のモータ制御回路やカメラとの間の信号の授受を担う制御回路等が搭載された回路基板（第２回路基板に相当、以下、「メイン基板」という。）、並びに、駆動機構部材とメイン基板との間を仕切る保護カバー等が配設される。
【００６１】
保護カバーは、少なくともその表面が絶縁性を有するものであることが望ましい。また、表面の絶縁性と、モータ等で発生する電気的なノイズのシールド機能とを併せ持つように、例えば、金属薄膜などからなるシールド層の表面を絶縁性のプラスチック樹脂などで覆う構成としてもよい。
【００６２】
図４は、駆動ユニット１４の内部構成の一部を拡大した斜視図である。図４の右側がレンズ鏡胴１２の前方（対物側）であり、第１枠体６２の前側部分を示している。
【００６３】
図４において、符号７０はアイリスモータ、７１はズームモータである。図示のとおり、アイリスモータ７０、ズームモータ７１及びこれらモータの動力を伝達するギア列７３は第１枠体６２に組み付けられている。また、当該第１枠体６２にはセンサ基板７６がビス７８により固定されている。当該センサ基板７６には発光ダイオード８０が実装されている。また、センサ基板７６には、発光ダイオード８０の実装面と反対側の面（図４において裏側の面）に第１フォーカスリング２１の前後方向の位置を検出するための光学センサ（以下「リング位置センサ」という。）が実装されている。図４では符号８２によって当該光学センサの端子（４端子）を示している。
【００６４】
図４のように、センサ基板７６は、レンズ鏡胴１２の側面に向かって略垂直（センサ基板７６の基板面の法線がレンズ鏡胴１２の光軸に対して略垂直）に配設され、レンズ鏡胴１２側に向く基板面（図４において裏側面）にリング位置センサが配置される。
【００６５】
発光ダイオード８０は図４において手前側に発光面を有して実装されるため、第１枠体６２におけるフランジバック調整確認用インジケータ１６の位置（図１及び図３参照）まで光を導く手段として、ライトガイド８４が設置されている。本例のライトガイド８４は、略Ｕ字形状のブロックで構成され、一方の端面（入射面）を発光ダイオード８０に近接して対向させ、他方の端面（出射面）を第１枠体６２におけるフランジバック調整確認用インジケータ１６の窓部（開口部）に嵌め込むように設置される。
【００６６】
なお、センサ基板７６には配線接続用のコネクタ８６が設けられており、このコネクタ８６に図示せぬケーブルを接続することにより、当該センサ基板７６とメイン基板（不図示）との電気的な接続が行われる。
【００６７】
上記のように、各駆動機構を構成する部材（駆動機構部材）とセンサ基板７６は第１枠体６２に取り付けられる。さらに、これら駆動機構部材やセンサ基板７６を覆う保護カバー（不図示）も第１枠体６２に固定される。
【００６８】
一方、第２枠体６４には、図１で説明したとおり、その上面部にズームシーソースイッチ４０等の各種操作部材（４０〜４３）が取り付けられ、これら操作部材からの信号の入力やこれに応じたモータ制御などを行う主要な電子回路を実装したメイン基板（不図示）は第２枠体６４側に支持される。こうして、メイン基板は筐体６０内においてセンサ基板７６と略平行に配置される。
【００６９】
このような駆動ユニット１４の構成により、筐体６０内に効率良く各部材を収容することができ、かつ、センサ基板７６上の電子部品（発光ダイオード８０等）とメイン基板との電気的な接続も容易なものとなっている。
【００７０】
図５は、駆動ユニット１４をレンズ鏡胴１２から取り外した状態で当該駆動ユニット１４を第１枠体６２側から描いた斜視図である。
【００７１】
同図のように駆動ユニット１４におけるレンズ鏡胴１２との連結部９０は、レンズ鏡胴１２の外周形状に対応して円筒面に沿った凹曲面の連結面９２を有する。レンズ鏡胴１２の外周部に設けられる各操作リング（２１〜２６）や固定環（２８、３０）等は、光学系の光軸（レンズ鏡胴１２の中心軸）を中心軸とする円筒面を外面形状の基調としていることに対応し、当該レンズ鏡胴１２の側面に設置される駆動ユニット１４の連結面９２は、光軸を中心軸とした円筒面（の一部）に沿った形状を基調とし、かつ、レンズ鏡胴１２のいずれの部材とも所定の隙間を有して接触しない大きさ径寸法を有する円筒面（同一径に限らない）に沿った形状を有している。
【００７２】
この第１枠体６２における連結面９２には、操作リングに対面する部分に開口９２Ａ、９２Ｂ、９２Ｃが形成されており、それらの開口９２Ａ、９２Ｂ、９２Ｃから連結ギア９４、９５、９６の一部が連結面９２よりも外部に突出した状態で露出している。
【００７３】
駆動ユニット１４をレンズ鏡胴１２に設置した状態において、各連結ギア９４〜９６は、操作リングに対応したギア歯２１Ａ〜２６Ａに噛合する。
【００７４】
図には示さないが、駆動ユニット１４の筐体６０内において、各連結ギア９４〜９６は、それぞれ対応するモータやポテンショメータ等に連結されている。
【００７５】
したがって、レンズ鏡胴１２内のフォーカスレンズ群、ズーム（変倍）レンズ群、絞りの各々の現在の設定位置が、駆動ユニット１４内のポテンショメータにより検出されると共に、フォーカスレンズ群、ズーム（変倍）レンズ群、絞りを駆動ユニット１４の筐体６０内のモータによって駆動することができるようになっている。
【００７６】
なお、本実施の形態では、フォーカスレンズ群、ズーム（変倍）レンズ群、絞りのいずれをも駆動ユニット１４により電動駆動可能としているが、本発明の実施に際しては、必ずしもこれら全ての可動要素を駆動ユニット１４で駆動させることは要求されない。少なくとも１つの可動要素を駆動することができる駆動ユニットであればよい。ただし、テレビカメラに用いるレンズ装置の場合、少なくとも変倍レンズ群について駆動可能な駆動ユニットであることが望ましい。
【００７７】
＜フランジバック調整確認用インジケータ１６の配置場所について＞
フランジバック調整確認用インジケータ１６の配置場所は、必ずしも図１、図３で説明した例に限定されない。駆動ユニット１４をレンズ鏡胴１２に取り付けた状態で外部に露出する面のうち、レンズ鏡胴１２側から見ることができる位置に設けられていればよい。
【００７８】
カメラマンの目線からの視認容易性を考慮すると、第１枠体６２にフランジバック調整確認用インジケータ１６を設けることが好ましい。さらに好ましくは、第１枠体６２の露出面のうち、レンズ鏡胴１２の光軸よりも上側の領域内とする。図５の一点鎖線はレンズ鏡胴１２の光軸の高さを示すものであり、この線よりも上側に露出している第１枠体６２の表面部分にフランジバック調整確認用インジケータ１６を設ける態様が好ましい。
【００７９】
＜フランジバック調整時の動作について＞
本実施形態によるレンズ装置１０のマウント部２０を図示せぬカメラ本体に装着した後、フランジバック調整スイッチ４６が一定時間押されると、フランジバック調整モードになる。フランジバック調整モードに設定されると、駆動ユニット１４のフランジバック調整確認用インジケータ１６が点滅する。カメラマンは、以下の手順でフランジ焦点距離の調整を行う。
【００８０】
［１］まず、絞り（アイリス）を開放にし、［２］レンズ装置１０のズームを望遠（テレ）端に設定して第１フォーカスリング２１でピントを合わせ、フランジバック調整スイッチ４６を押す。その後、［３］フォーカスリングを動かさずに、ズームを広角（ワイド）端にして、再度、第１フォーカスリング２１でピントを合わせ、フランジバック調整スイッチ４６を押す。
【００８１】
望遠側と広角側の両方でピントが合うように調整した後に、フランジバック調整スイッチ４６が押されると、当該調整されたフォーカスレンズ群の位置がメモリ等に記憶され、フランジバック調整モードが解除される。
【００８２】
フランジバック調整モード期間中、フランジバック調整確認用インジケータ１６は点滅し続ける。フランジバック調整後、フランジバック調整確認用インジケータ１６が消灯したら通常の撮影操作が可能となる。
【００８３】
なお、フランジバック調整確認用インジケータ１６は、フランジバック調整モード期間中、単に常時点灯させる態様に限らず、点灯時間、点滅の周期、複数の発光色などを適宜組み合わせることで、状態に応じた表示を行うことも可能である。
【００８４】
また、上記説明した手動（マニュアル）によるフランジバック調整作業の他に、カメラのオートフォーカス機能を活用した自動フランジバック調整を行うことも可能である。この場合、例えば、フランジバック調整スイッチ４６を押して、フランジバック調整モードに設定した際、自動フランジバック調整動作中にフランジバック調整確認用インジケータ１６が点滅し、自動調整が完了したら、常時点灯となって調整終了を知らせるなどの表示方法が可能である。
【００８５】
＜変形例１＞
発光ダイオード（ＬＥＤ）８０の配置場所やライトガイド８４の形態は、図４で説明した例に限定されない。どのような形態のライトガイドを用いるかについては、駆動ユニット１４内における発光ダイオード８０の位置とフランジバック調整確認用インジケータ１６の表示窓の位置関係に依存する。ライトガイドを省略して、フランジバック調整確認用インジケータ１６の表示窓部にＬＥＤを配置する態様も可能である。
【００８６】
また、図４では、発光ダイオード８０をセンサ基板７６に実装したが、メイン基板に実装してもよく、これら以外の他の基板に実装してもよい。
【００８７】
＜変形例２＞
フランジバック調整確認用インジケータ１６として発光ダイオードを利用した表示ランプを例示したが、本発明の実施に際しては、かかる表示手段に代えて、又はこれと組み合わせて、液晶表示パネルなどの表示デバイスを用いることも可能である。
【符号の説明】
【００８８】
１０…レンズ装置、１２…レンズ鏡胴、１４…駆動ユニット、１６…フランジバック調整確認用インジケータ、２０…マウント部、２１…第１フォーカスリング、２２…第２フォーカスリング、２４…ズームリング、２６…アイリスリング、２１Ａ、２２Ａ、２４Ａ、２６Ａ…ギア歯、４６…フランジバック調整スイッチ、６０…筐体、６２…第１枠体、６４…第２枠体、７０…アイリスモータ、７１…ズームモータ、７６…センサ基板、８０…発光ダイオード（ＬＥＤ）、８４…ライトガイド、９４，９５，９６…連結ギア
【図１】
2011102926.tif 000003
【図２】
2011102926.tif 000004
【図３】
2011102926.tif 000005
【図４】
2011102926.tif 000006
【図５】
2011102926.tif 000007